(57)【特許請求の範囲】
【請求項１】
両端部に通孔（４ｂ、４ｂ）を形成し、一端側の両側部に凹み部（４ｃ、４ｃ）を形成すると共に、他端側の両側部に当て部（４ａ、４ａ）を形成してなる一枚の金属板を二つ折りにして、前記通孔（４ｂ、４ｂ）を合致させ、これら通孔（４ｂ、４ｂ）にかしめ部材（８）を挿入して二つ折りにした金属板が開かないように固着し、この二つ折りにした金属板の折曲げ部（４ｄ）に背負いベルト取付環（３）の金属製支持円筒（９）を保持すると共に、この金属製支持円筒（９）の両端を前記折曲げ部（４ｄ）の両端に折り返して密着させ、さらに前記金属板の凹み部（４ｃ、４ｃ）に前記金属板の当て部（４ａ、４ａ）をそれぞれ折り返して固着した連結板（４）を備えたことを特徴とする背負い鞄の背負いベルト上端取付具。
【請求項２】
前記連結板（４、４）を一対として、左右方向に揺動自在として背当て部（５）に取り付けると共に、前記連結板（４、４）にそれぞれ内方向の弾力を付したことを特徴とする請求項１記載の背負い鞄の背負いベルト上端取付具。
【請求項３】
前記連結板（４、４）を一対として、左右方向に揺動自在として背当て部（５）に取り付けると共に、前記連結板（４、４）のそれぞれの外側の当て部（４ａ、４ａ）に、略Ｕ字状とした板ばね（６）の内体（６ａ）を摺動自在に当接させて、これら連結板（４、４）にそれぞれ内方向の弾力を付したことを特徴とする請求項１記載の背負い鞄の背負いベルト上端取付具。
【発明の詳細な説明】
【０００１】
【発明の属する技術分野】
この発明は、ランドセル、リュックサック等の背負い鞄の背負いベルト上端取付具に関するものである。
【０００２】
【従来の技術】
従来、この種の背負い鞄の背負いベルト上端取付具は、背当て部の最上段又は最上段から少し下げた位置に取り付けたものとしており、例えば図６、７に示したように、背負いベルト取付環１３、１３をそれぞれ取り付けた連結板１４、１４を左右方向に揺動自在として背当て部１５に取り付けると共に、連結板１４、１４の外側部に略Ｕ字状とした板ばね１６の内体１６ａを摺動自在に当接させて、これら連結板１４、１４にそれぞれ内方向の弾力を付したものとしていた。
【０００３】
そして、この背負いベルト上端取付具の連結板１４、１４は、図示したように、合成樹脂の成形体とし、その上端部に背負いベルト取付環１３、１３の支持孔１３ａ、１３ａを形成したものとしたり、図示していないが、一枚の金属板を二つ折りにし、その折り曲げ部に背負いベルト取付環の保持部を形成したものとしていた。
【０００４】
このように構成した背負いベルト上端取付具は、背負いベルトの取付位置を連結板１４、１４の揺動幅内において、使用者の体格に応じて背負いベルト取付環１３、１３が左右方向に移動できると共に、連結板１４、１４に付される内方向に弾力によって背負いベルト取付環１３、１３を使用者の体格に応じた状態に維持しておけるので、非常に使用し易くなり、使用者に圧迫感や疲労感などを与えることのないものとしていた。
【０００５】
【発明が解決しようとする課題】
しかしながら、上記従来の背負いベルト上端取付具において、連結板１４、１４を合成樹脂の成形体としているものでは、金属体にした場合に比べ強度性や対摩耗性に欠けるので、これら連結板１４、１４の外側部に摺動自在に当接する板ばね１６によって、連結板１４、１４の外側部がすり減ってしまったり、上端部に形成した支持孔１３ａ、１３ａが破損し背負いベルト取付環１３、１３が外れてしまったりして、長期間の使用に耐えることができず、耐久性に乏しいという課題を有していた。
【０００６】
また、上記従来の背負いベルト上端取付具において、連結板１４、１４を一枚の金属板を二つ折りにしているものでは、この二つ折りにした金属板の両端部を開かないように固着しておくのが困難であったり、折り曲げ部に形成した保持部の形状を、背負いベルト取付環を保持し易い円筒形状に整えるのが困難であるという課題を有していた。
【０００７】
そこで、この発明は、上記従来の課題を解決するものであり、連結板を金属体（金属板）とすることにより、長期間の使用に耐えることができ、耐久性に富むものとすると共に、連結板を二つ折りにした金属板で構成しても、金属板の両端部が開かないように固着しておくことができ、しかも連結板の折り曲げ部に形成した保持部の形状を、背負いベルト取付環が保持し易い円筒形状に容易にすることができる構造とした背負い鞄の背負いベルト上端取付具を提供することを目的としてなされたものである。
【０００８】
【課題を解決するための手段】
そのため、この発明の背負い鞄の背負いベルト上端取付具は、両端部に通孔４ｂ、４ｂを形成し、一端側の両側部に凹み部４ｃ、４ｃを形成すると共に、他端側の両側部に当て部４ａ、４ａを形成してなる一枚の金属板を二つ折りにして、前記通孔４ｂ、４ｂを合致させ、これら通孔４ｂ、４ｂにかしめ部材８を挿入して二つ折りにした金属板が開かないように固着し、この二つ折りにした金属板の折曲げ部４ｄに背負いベルト取付環３の金属製支持円筒９を保持すると共に、この金属製支持円筒９の両端を前記折曲げ部４ｄの両端に折り返して密着させ、さらに前記金属板の凹み部４ｃ、４ｃに前記金属板の当て部４ａ、４ａをそれぞれ折り返して固着した連結板４を備えたものとしている。
【０００９】
そして、この発明の背負い鞄の背負いベルト上端取付具は、前記連結板４、４を一対として、左右方向に揺動自在として背当て部５に取り付けると共に、前記連結板４、４にそれぞれ内方向の弾力を付したものとするのが好ましい。
【００１０】
さらに、この発明の背負い鞄の背負いベルト上端取付具は、前記連結板４、４を一対として、左右方向に揺動自在として背当て部５に取り付けると共に、前記連結板４、４のそれぞれの外側の当て部４ａ、４ａに、略Ｕ字状とした板ばね６の内体６ａを摺動自在に当接させて、これら連結板４、４にそれぞれ内方向の弾力を付したものとするのが好ましい。
【００１１】
【発明の実施の形態】
以下、この発明の背負い鞄の背負いベルト上端取付具の実施の形態を、図面に基づいて詳細に説明する。
【００１２】
図１は、この発明の背負い鞄の背負いベルト上端取付具を備えたランドセルを背当て部側から見た斜視図を示している。１は背負いベルトであり、この背負いベルト１の上端はこの発明の上端取付具２に取り付けられており、背負いベルト１の下端は下端取付具（図示せず）に取り付けられている。
【００１３】
前記上端取付具２は、図２に示したように、背負いベルト取付環３、３をそれぞれ取り付けた連結板４、４を一対として、左右方向に揺動自在として背当て部５に取り付けると共に、連結板４、４のそれぞれの外側の当て部４ａ、４ａに、略Ｕ字状とした板ばね６の内体６ａを摺動自在に当接させて、これら連結板４、４にそれぞれ内方向の弾力を付したものとしている。
【００１４】
さらに、前記上端取付具２は、図２、３に示したように、ランドセルを使用しない時などに吊り下げておくための吊り下げ環７を取り付けたものとしている。この吊り下げ環７は、鋼線を折り曲げて形成したものとしており、前記上端取付具２の中央上部に上下方向に摺動自在としているので、ランドセルを吊り下げておく時には突き出しておくことができ、ランドセルを背負う時には引っ込めておくことができる。
【００１５】
前記連結板４は、図４に示したような、両端部に通孔４ｂ、４ｂを形成し、一端側の両側部に凹み部４ｃ、４ｃを形成すると共に、他端側の両側部に前記当て部４ａ、４ａを形成してなる一枚の金属板を二つ折りにして構成している。すなわち、金属板を二つ折りにして、通孔４ｂ、４ｂを合致させ、これら通孔４ｂ、４ｂにかしめ部材８を挿入して二つ折りにした金属板が開かないように固着している。そして、この二つ折りにした金属板の折曲げ部４ｄに背負いベルト取付環３の金属製支持円筒９を保持すると共に、この金属製支持円筒９の両端を前記折曲げ部４ｄの両端に折り返して密着させている。さらに、前記金属板の凹み部４ｃ、４ｃに前記金属板の当て部４ａ、４ａをそれぞれ折り返して固着したものとしている。また、前記連結板４、４は、必要に応じ、重量軽減のための抜き孔１０を穿設したり、補強のためのリブ１１を突設したものとすることができる。
【００１６】
以上のように構成したこの発明の背負い鞄の背負いベルト上端取付具は、ランドセルを背負った場合に、背負いベルト１に引っ張られて連結板４、４が左右方向に揺動し、板ばね６の内体６ａが連結板４、４のそれぞれの当て部４ａ、４ａに当接して摺動しても、この当て部４ａ、４ａは金属であるためすり減り難いものとなる。また、連結板４、４の金属製支持円筒９は破損し難いので、背負いベルト取付環３、３が長期間に使用によって外れてしまったりすることがない。
【００１７】
さらに、この発明の背負い鞄の背負いベルト上端取付具は、通孔４ｂ、４ｂに挿入したかしめ部材８や、金属板の凹み部４ｃ、４ｃに折り返して固着した金属板の当て部４ａ、４ａにより、連結板４、４の両端部は開かないように固着されたものとなる。しかも、金属板の折曲げ部４ｄには金属支持円筒８を保持しているので、この金属支持円筒８が保持部となり、背負いベルト取付環３が保持し易いものとなる。
【００１８】
【発明の効果】
この発明の背負い鞄の背負いベルト上端取付具は、以上に述べたように構成されており、連結板を金属体（金属板）とすることにより、長期間の使用に耐えることができ、耐久性に富むものとなった。さらに、この発明の背負いベルト上端取付具は、連結板を二つ折りにした金属板で構成しても、金属板の両端部が開かないように簡単に固着しておくことができるものとなった。また、この発明の背負いベルト上端取付具は、連結板の折り曲げ部に形成した保持部の形状を、金属支持円筒の使用によって、背負いベルト取付環が保持し易い円筒形状に容易にすることができた。
【図面の簡単な説明】
【図１】この発明の背負い鞄の背負いベルト上端取付具を備えたランドセルの背当て部側から見た斜視図である。
【図２】この発明の背負い鞄の背負いベルト上端取付具の一部を破断して示す正面図である。
【図３】この発明の背負い鞄の背負いベルト上端取付具の中央縦断面図である。
【図４】この発明の背負い鞄の背負いベルト上端取付具の連結板の二つ折りにする前の状態の説明図である。
【図５】この発明の背負い鞄の背負いベルト上端取付具の連結板の背負いベルト取付環を取り付けた状態の斜視図である。
【図６】従来の背負い鞄の背負いベルト上端取付具を備えたランドセルの背当て部側から見た斜視図である。
【図７】従来の背負い鞄の背負いベルト上端取付具の内部構造を示した説明図である。
【符号の説明】
３  背負いベルト取付環
４  連結板
４ａ  当て部
４ｂ  通孔
４ｃ  凹み部
４ｄ  折曲げ部
５  背当て部
６  板ばね
６ａ  内体
８  かしめ部材
９  金属製支持円筒
【図１】
0004340799.tif 000002
【図２】
0004340799.tif 000003
【図３】
0004340799.tif 000004
【図４】
0004340799.tif 000005
【図５】
0004340799.tif 000006
【図６】
0004340799.tif 000007
【図７】
0004340799.tif 000008